(57)【要約】【課題】この発明は、視聴制限用情報を含むインターレース方式の映像信号に対して、その視聴制限が損なわれることなく確実に実施されることを可能とした映像信号受信装置及び映像信号受信方法、映像信号記録再生装置及び映像信号記録再生方法を提供することを目的としている。【解決手段】インターレース方式で特定の映像ブランキング期間に視聴制限用の度数情報が多重された映像信号と、それをプログレッシブ方式に変換した映像信号とを選択的に出力する際に、映像信号に多重された視聴制限用の度数情報が、予め設定された視聴制限の度数を超えた状態で、プログレッシブ方式の映像信号の出力が要求されたとき、プログレッシブ方式の映像信号の出力を停止させる。【選択図】      図１
2005167427.tif 000002
【特許請求の範囲】
【請求項１】
インターレース方式で特定ラインの映像ブランキング期間に視聴制限用の度数情報が多重された映像信号を受信する受信手段と、
前記受信手段で受信された映像信号を、インターレース方式のままの状態またはプログレッシブ方式の映像信号に変換した状態で選択的に出力する出力手段と、
前記受信手段で受信された映像信号から、その映像ブランキング期間に多重された視聴制限用の度数情報を検出する検出手段と、
予め設定された視聴制限の度数を記憶する記憶手段と、
前記検出手段で検出された度数情報が前記記憶手段に記憶された度数を超えた状態で、前記出力手段にプログレッシブ方式の映像信号を出力することが要求されたとき、前記出力手段からの映像信号の出力を停止させるように制御する制御手段とを具備したことを特徴とする映像信号受信装置。
【請求項２】
前記制御手段は、視聴制限されたことを通知するための信号を出力することを特徴とする請求項１記載の映像信号受信装置。
【請求項３】
インターレース方式で特定ラインの映像ブランキング期間に視聴制限用の度数情報が多重された映像信号を受信する受信手段と、
前記受信手段で受信された映像信号を、インターレース方式のままの状態またはプログレッシブ方式の映像信号に変換した状態で選択的に出力する出力手段と、
前記受信手段で受信された映像信号から、その映像ブランキング期間に多重された視聴制限用の度数情報を検出する検出手段と、
前記検出手段で度数情報が検出された状態で、前記出力手段にプログレッシブ方式の映像信号を出力することが要求されたとき、前記出力手段からインターレース方式の映像信号を出力させるように制御する制御手段とを具備したことを特徴とする映像信号受信装置。
【請求項４】
前記受信手段は、４８０ｉの映像信号を受信し、前記出力手段は、４８０ｉの映像信号を４８０ｐの映像信号に変換可能であることを特徴とする請求項１乃至３いずれかに記載の映像信号受信装置。
【請求項５】
インターレース方式で特定ラインの映像ブランキング期間に視聴制限用の度数情報が多重された映像信号を受信する工程と、
受信された映像信号を、インターレース方式のままの状態またはプログレッシブ方式の映像信号に変換した状態で選択的に出力する工程と、
受信された映像信号から、その映像ブランキング期間に多重された視聴制限用の度数情報を検出する工程と、
予め設定された視聴制限の度数を記憶する工程と、
検出された度数情報が記憶された度数を超えた状態で、前記プログレッシブ方式の映像信号を出力することが要求されたとき、前記プログレッシブ方式の映像信号の出力を停止させるように制御する工程とを具備したことを特徴とする映像信号受信方法。
【請求項６】
前記検出された度数情報が記憶された度数を超えた状態で、前記プログレッシブ方式の映像信号を出力することが要求されたとき、前記プログレッシブ方式の映像信号の出力を停止させる工程は、視聴制限されたことを通知するための信号を出力する工程を備えることを特徴とする請求項５記載の映像信号受信方法。
【請求項７】
インターレース方式で特定ラインの映像ブランキング期間に視聴制限用の度数情報が多重された映像信号を受信する工程と、
受信された映像信号を、インターレース方式のままの状態またはプログレッシブ方式の映像信号に変換した状態で選択的に出力する工程と、
受信された映像信号から、その映像ブランキング期間に多重された視聴制限用の度数情報を検出する工程と、
前記度数情報が検出された状態で、前記プログレッシブ方式の映像信号を出力することが要求されたとき、前記インターレース方式の映像信号を出力させるように制御する工程とを具備したことを特徴とする映像信号受信方法。
【請求項８】
インターレース方式で特定ラインの映像ブランキング期間に視聴制限用の度数情報が多重された映像信号を記録媒体に記録する記録手段と、
前記記録媒体から映像信号を再生し、インターレース方式のままの状態またはプログレッシブ方式の映像信号に変換した状態で選択的に出力する再生手段と、
前記再生手段で再生された映像信号から、その映像ブランキング期間に多重された視聴制限用の度数情報を検出する検出手段と、
予め設定された視聴制限の度数を記憶する記憶手段と、
前記検出手段で検出された度数情報が前記記憶手段に記憶された度数を超えた状態で、前記再生手段にプログレッシブ方式の映像信号を出力することが要求されたとき、前記再生手段からの映像信号の出力を停止させるように制御する制御手段とを具備したことを特徴とする映像信号記録再生装置。
【請求項９】
前記制御手段は、視聴制限されたことを通知するための信号を出力することを特徴とする請求項８記載の映像信号記録再生装置。
【請求項１０】
インターレース方式で特定ラインの映像ブランキング期間に視聴制限用の度数情報が多重された映像信号を記録媒体に記録する記録手段と、
前記記録媒体から映像信号を再生し、インターレース方式のままの状態またはプログレッシブ方式の映像信号に変換した状態で選択的に出力する再生手段と、
前記再生手段で再生された映像信号から、その映像ブランキング期間に多重された視聴制限用の度数情報を検出する検出手段と、
前記検出手段で度数情報が検出された状態で、前記再生手段にプログレッシブ方式の映像信号を出力することが要求されたとき、前記再生手段からインターレース方式の映像信号を出力させるように制御する制御手段とを具備したことを特徴とする映像信号記録再生装置。
【請求項１１】
前記記録手段は、４８０ｉの映像信号を記録媒体に記録し、前記再生手段は、記録媒体から再生した４８０ｉの映像信号を４８０ｐの映像信号に変換して出力可能であることを特徴とする請求項８乃至１１いずれかに記載の映像信号記録再生装置。
【請求項１２】
インターレース方式で特定ラインの映像ブランキング期間に視聴制限用の度数情報が多重された映像信号を記録媒体に記録する工程と、
前記記録媒体から映像信号を再生し、インターレース方式のままの状態またはプログレッシブ方式の映像信号に変換した状態で選択的に出力する工程と、
再生された映像信号から、その映像ブランキング期間に多重された視聴制限用の度数情報を検出する工程と、
予め設定された視聴制限の度数を記憶する工程と、
検出された度数情報が記憶された度数を超えた状態で、前記プログレッシブ方式の映像信号を出力することが要求されたとき、前記プログレッシブ方式の映像信号の出力を停止させるように制御する工程とを具備したことを特徴とする映像信号記録再生方法。
【請求項１３】
前記検出された度数情報が記憶された度数を超えた状態で、前記プログレッシブ方式の映像信号を出力することが要求されたとき、前記プログレッシブ方式の映像信号の出力を停止させる工程は、視聴制限されたことを通知するための信号を出力する工程を備えることを特徴とする請求項１２記載の映像信号記録再生方法。
【請求項１４】
インターレース方式で特定ラインの映像ブランキング期間に視聴制限用の度数情報が多重された映像信号を記録媒体に記録する工程と、
前記記録媒体から映像信号を再生し、インターレース方式のままの状態またはプログレッシブ方式の映像信号に変換した状態で選択的に出力する工程と、
再生された映像信号から、その映像ブランキング期間に多重された視聴制限用の度数情報を検出する工程と、
前記度数情報が検出された状態で、前記プログレッシブ方式の映像信号を出力することが要求されたとき、前記インターレース方式の映像信号を出力させるように制御する工程とを具備したことを特徴とする映像信号記録再生方法。
【発明の詳細な説明】
【技術分野】
【０００１】
この発明は、例えばテレビジョン放送等を受信して映像表示するための映像信号受信装置及び映像信号受信方法に関する。また、この発明は、映像信号を例えばディスク等の記録媒体に記録再生するための映像信号記録再生装置及び映像信号記録再生方法に関する。
【背景技術】
【０００２】
周知のように、近年では、情報の高密度記録技術が促進されており、片面１層に４．７ＧＢ（Giga Byte）もの記録容量を有する光ディスクが実用化されている。
【０００３】
この光ディスクとしては、例えば、再生専用のＤＶＤ−ＲＯＭ（Digital Versatile Disk−Read Only Memory）、書き替え可能なＤＶＤ−ＲＡＭ（Random Access Memory）、ＤＶＤ−ＲＷ（Rewritable）、追記可能なＤＶＤ−Ｒ（Recordable）等がある。
【０００４】
そして、この種の記録可能なＤＶＤに対してデータの記録再生を行なう光ディスク記録再生装置にあっては、テレビジョンチューナで受信されたＮＴＳＣ（National Television System Committee）方式のアナログ映像信号を記録し再生することができる。
【０００５】
ところで、記録されるアナログ映像信号には、その映像ブランキング期間に多種の情報を多重化して種々の機能を実現するシステムが確立されている。このシステムの規格は、ＥＩＡ（Electoric Industries Association）によってそのフォーマットが定義されている。
【０００６】
そして、このフォーマットの中の１つに、ＭＰＥＧ（Moving Picture Experts Group）規格による１ＧＯＰ（Group Of Picture）毎に設定されたユーザデータ領域に、ＸＤＳ（Extended Data Service）と称されるパケット構造で、ＮＴＳＣ方式アナログ映像信号の映像ブランキング期間に含まれる情報を格納する方式が定義されている。
【０００７】
ここで、アナログ映像信号の映像ブランキング期間に情報を多重化して実現することのできる機能の１つに、放送番組に対する視聴制限機能がある。この視聴制限機能は、番組に視聴制限用の度数情報を付加して放送し、度数情報が受信側で視聴者の設定した度数を実質的に超えた場合に、その番組を視聴不可能に制御するものである。
【０００８】
そして、光ディスク記録再生装置では、アナログ映像信号だけでなく、このような視聴制限用の度数情報も記録することが可能である。
【０００９】
ところで、ＥＩＡの定義したＮＴＳＣ方式アナログ映像信号の映像ブランキング期間に多種の情報を多重化する方式は、対象とする方式がインターレース方式（４８０ｉ）である。この場合、ＸＤＳパケットは、２８４ラインに格納される。そして、テレビジョン受信機側でも、インターレースの信号形式を想定している。
【００１０】
これに対し、現在の光ディスク記録再生装置では、ＮＴＳＣ方式アナログ映像信号のように、１／３０秒で1フレームを構成するインターレース方式の映像信号（４８０ｉ）に代えて、その倍速の１／６０秒で1フレームを構成するプログレッシブ方式の映像信号（４８０ｐ）を出力可能な機能を有するモデルが増加している。
【００１１】
このため、光ディスク記録再生装置で、視聴制限用の度数情報を含む４８０ｉの映像信号を記録しても、再生時に、４８０ｐの映像信号に変換して出力すると、テレビジョン受信機では、規格外の入力であるため、視聴制限用の度数情報を取得することができず、視聴制限を実現することができなくなる。
【００１２】
特許文献１には、ＴＯＣ（Table Of Contents）内の総演奏時間を示す情報を、再生を制限するビデオＣＤ（Compact Disk）を識別するための識別情報として予め格納しておき、ローディングされたビデオＣＤのＴＯＣから取得した総演奏時間を示す情報が、予め格納しておいた識別情報に含まれない場合に、そのビデオＣＤの再生を許可する構成が開示されている。
【００１３】
しかしながら、この特許文献１には、視聴制限用の度数情報を含む４８０ｉの映像信号を記録した光ディスクの再生時に、４８０ｐの映像信号に変換して出力した場合、視聴制限が行なわれなくなるという不都合に対処することについては、何らの記載もなされていないものである。
【特許文献１】特開２０００−４０３０３号公報
【発明の開示】
【発明が解決しようとする課題】
【００１４】
そこで、この発明は上記事情を考慮してなされたもので、視聴制限用情報を含むインターレース方式の映像信号に対して、その視聴制限が損なわれることなく確実に実施されることを可能とした映像信号受信装置及び映像信号受信方法、映像信号記録再生装置及び映像信号記録再生方法を提供することを目的とする。
【課題を解決するための手段】
【００１５】
この発明に係る映像信号受信装置は、インターレース方式で特定ラインの映像ブランキング期間に視聴制限用の度数情報が多重された映像信号を受信する受信手段と、受信手段で受信された映像信号を、インターレース方式のままの状態またはプログレッシブ方式の映像信号に変換した状態で選択的に出力する出力手段と、受信手段で受信された映像信号から、その映像ブランキング期間に多重された視聴制限用の度数情報を検出する検出手段と、予め設定された視聴制限の度数を記憶する記憶手段と、検出手段で検出された度数情報が記憶手段に記憶された度数を超えた状態で、出力手段にプログレッシブ方式の映像信号を出力することが要求されたとき、出力手段からの映像信号の出力を停止させるように制御する制御手段とを備えるようにしたものである。
【００１６】
また、この発明に係る映像信号受信方法は、インターレース方式で特定ラインの映像ブランキング期間に視聴制限用の度数情報が多重された映像信号を受信する工程と、受信された映像信号を、インターレース方式のままの状態またはプログレッシブ方式の映像信号に変換した状態で選択的に出力する工程と、受信された映像信号から、その映像ブランキング期間に多重された視聴制限用の度数情報を検出する工程と、予め設定された視聴制限の度数を記憶する工程と、検出された度数情報が記憶された度数を超えた状態で、プログレッシブ方式の映像信号を出力することが要求されたとき、プログレッシブ方式の映像信号の出力を停止させるように制御する工程とを備えるようにしたものである。
【００１７】
さらに、この発明に係る映像信号記録再生装置は、インターレース方式で特定ラインの映像ブランキング期間に視聴制限用の度数情報が多重された映像信号を記録媒体に記録する記録手段と、記録媒体から映像信号を再生し、インターレース方式のままの状態またはプログレッシブ方式の映像信号に変換した状態で選択的に出力する再生手段と、再生手段で再生された映像信号から、その映像ブランキング期間に多重された視聴制限用の度数情報を検出する検出手段と、予め設定された視聴制限の度数を記憶する記憶手段と、検出手段で検出された度数情報が記憶手段に記憶された度数を超えた状態で、再生手段にプログレッシブ方式の映像信号を出力することが要求されたとき、再生手段からの映像信号の出力を停止させるように制御する制御手段とを備えるようにしたものである。
【００１８】
また、この発明に係る映像信号記録再生方法は、インターレース方式で特定ラインの映像ブランキング期間に視聴制限用の度数情報が多重された映像信号を記録媒体に記録する工程と、記録媒体から映像信号を再生し、インターレース方式のままの状態またはプログレッシブ方式の映像信号に変換した状態で選択的に出力する工程と、再生された映像信号から、その映像ブランキング期間に多重された視聴制限用の度数情報を検出する工程と、予め設定された視聴制限の度数を記憶する工程と、検出された度数情報が記憶された度数を超えた状態で、プログレッシブ方式の映像信号を出力することが要求されたとき、プログレッシブ方式の映像信号の出力を停止させるように制御する工程とを備えるようにしたものである。
【発明の効果】
【００１９】
上記した発明によれば、インターレース方式で特定ラインの映像ブランキング期間に視聴制限用の度数情報が多重された映像信号と、その映像信号をプログレッシブ方式に変換した映像信号とを選択的に出力する際に、映像信号から検出された視聴制限用の度数情報が予め設定された視聴制限の度数を超えた状態で、プログレッシブ方式の映像信号を出力することが要求されたとき、プログレッシブ方式の映像信号の出力を停止させるように制御したので、視聴制限用の情報を含むインターレース方式の映像信号に対して、その視聴制限が損なわれることなく確実に実施されるようになる。
【発明を実施するための最良の形態】
【００２０】
以下、この発明の実施の形態について図面を参照して詳細に説明する。図１は、この実施の形態で説明する光ディスク記録再生装置の詳細を示している。この光ディスク記録再生装置は、記録媒体として記録可能なＤＶＤ等の光ディスクとハードディスクとの両方を取り扱うことができるものとしているが、記録媒体としては、例えば半導体メモリ等を用いることも可能である。
【００２１】
すなわち、図１に示す光ディスク記録再生装置は、大きく分けると、図中左側に記録側の主なブロックが存在し、図中右側に再生側の主なブロックが存在し、図中下部に制御側の主なブロックが存在している。
【００２２】
そして、この光ディスク記録再生装置は、２種類のディスクドライブ部を有している。まず、ビデオファイルを構築できる情報記録媒体である第１のメディアとしての光ディスク１１を回転駆動して、情報の読み書きを実行するディスクドライブ部１２を有する。また、この光ディスク記録再生装置は、第２のメディアとしてのハードディスク１３ａを駆動するＨＤＤ（Hard Disk Drive）部１３を有する。
【００２３】
Ｄ−ＰＲＯ（Data−Processor）部１４は、ディスクドライブ部１２及びＨＤＤ部１３に記録データを供給することができ、また、再生された信号を受け取ることができる。ディスクドライブ部１２は、光ディスク１１に対する回転制御系、レーザ駆動系、光学系等を有する。Ｄ−ＰＲＯ部１４は、記録または再生単位のデータを取り扱うもので、バッファ回路、変調・復調回路、エラー訂正部等を含んでいる。
【００２４】
また、この光ディスク記録再生装置は、記録側を構成するエンコーダ部１５と、再生側を構成するデコーダ部１６と、光ディスク記録再生装置の動作を制御するマイクロコンピュータブロック１７とを、主たる構成要素としている。
【００２５】
エンコーダ部１５は、入力されたアナログ映像信号及びアナログ音声信号をデジタル化する映像用及び音声用のアナログデジタルコンバータと、映像エンコーダと、音声エンコーダとを有する。さらに、副映像エンコーダも含んでいる。
【００２６】
エンコーダ部１５の出力は、バッファメモリ１８を含むフォーマッタ１９にて所定のＤＶＤビデオフォーマットに変換され、先のＤ−ＰＲＯ部１４に供給される。
【００２７】
エンコーダ部１５には、Ａ／Ｖ（Audio Video）入力部２０から得られる外部アナログ映像信号と外部アナログ音声信号、または、ＴＶ（Television）チューナ部２１から得られるアナログ映像信号とアナログ音声信号が入力される。
【００２８】
なお、エンコーダ部１５は、圧縮されたデジタル映像信号及びデジタル音声信号が直接入力されるときは、この圧縮されたデジタル映像信号及びデジタル音声信号を、直接フォーマッタ１９に供給することも可能である。
【００２９】
また、エンコーダ部１５は、アナログデジタル変換されたデジタル映像信号及び音声信号を、Ｖ（Video）ミクシング部２２及びオーディオセレクタ２３に直接供給することもできる。
【００３０】
エンコーダ部１５に含まれる映像エンコーダでは、デジタル映像信号が、ＭＰＥＧ（Moving Picture Experts Group）２またはＭＰＥＧ１規格に基づいた可変ビットレートで圧縮されたデジタル映像信号に変換される。デジタル音声信号は、ＭＰＥＧまたはＡＣ（Audio Compression）−３規格に基づいて、固定ビットレートで圧縮されたデジタル音声信号、または、リニアＰＣＭ（Pulse Code Modulation）のデジタル音声信号に変換される。
【００３１】
副映像信号がＡ／Ｖ入力部２０から入力された場合（例えば副映像信号の独立出力端子付ＤＶＤビデオプレーヤからの信号等）、または、このようなデータ構成のＤＶＤ映像信号が放送され、そのチャンネルがＴＶチューナ部２１で選局された場合は、ＤＶＤ映像信号中の副映像信号が副映像エンコーダでエンコード（ランレングス符号化）されて副映像のビットマップとなる。
【００３２】
エンコードされたデジタル映像信号、デジタル音声信号、副映像信号は、フォーマッタ１９にてパック化され、映像パック、音声パック、副映像パックとなり、さらに、これらのパックが集合されて、ＤＶＤビデオ規格［例えばＤＶＤ−ＲＡＭ（Random Access Memory）、ＤＶＤ−ＲＷ（Rewritable）、ＤＶＤ−Ｒ（Recordable）等に記録する規格］で規定されたフォーマットに変換される。
【００３３】
ここで、図１に示した光ディスク記録再生装置は、フォーマッタ１９でフォーマット化された情報（映像、音声、副映像信号等のパック）及び作成された管理情報を、Ｄ−ＰＲＯ部１４を介してＨＤＤ部１３またはディスクドライブ部１２に供給し、ハードディスク１３ａまたは光ディスク１１に記録することができる。
【００３４】
また、ハードディスク１３ａまたは光ディスク１１に記録された情報を、Ｄ−ＰＲＯ部１４及びディスクドライブ部１２を介して、光ディスク１１またはハードディスク１３ａに記録することもできる。
【００３５】
マイクロコンピュータブロック１７は、ＭＰＵ（Micro Processing Unit）１７ａ、メモリ部１７ｂ及び視聴制御部１７ｃ等を含んでいる。このうち、メモリ部１７ｂは、ＭＰＵ１７ａが実行する各種の制御プログラム等を格納したＲＯＭ（Read Only Memory）を含んでいる。
【００３６】
また、このメモリ部１７ｂは、ＭＰＵ１７ａに対してプログラム実行に必要なワークエリアを提供するためのＲＡＭと、取得したＥＰＧ情報、それに基づいて作成された電子番組表、ＥＰＧ情報を取得した日時情報等を保持するための不揮発性のＲＡＭとを含んでいる。
【００３７】
さらに、視聴制御部１７ｃは、詳細は後述するが、入力されたアナログ映像信号に含まれる視聴制限用情報に基づいて、出力映像信号を制御している。
【００３８】
マイクロコンピュータブロック１７の実行結果のうち、ユーザに通知すべき内容は、光ディスク記録再生装置に内蔵された表示部２４に表示されるか、または、外部接続されたＴＶ受信機２５にＯＳＤ（On Screen Display）表示される。このＴＶ受信機２５は、視聴制限用の度数情報を含む４８０ｉの映像信号が入力された場合、視聴制限を実現するように機能する。
【００３９】
また、マイクロコンピュータブロック１７は、この光ディスク記録再生装置を操作するための操作信号を与えるキー入力部２６を有する。
【００４０】
なお、上記マイクロコンピュータブロック１７が、ディスクドライブ部１２、ＨＤＤ部１３、Ｄ−ＰＲＯ部１４、エンコーダ部１５及びデコーダ部１６等を制御するタイミングは、ＳＴＣ（System Time Clock）２７からの時間データに基づいて規定することができる。記録や再生の動作は、通常、ＳＴＣ２７からのタイムクロックに同期して実行されるが、それ以外の処理はＳＴＣ２７からのタイムクロックとは独立したタイミングで実行されてもよい。
【００４１】
デコーダ部１６は、パック構造を持つＤＶＤビデオフォーマットの信号から各パックを分離して取り出すセパレータと、パック分離及びその他の信号処理実行時に使用するメモリと、セパレータで分離された映像信号（映像パックの内容）をデコードするVデコーダと、セパレータで分離された副映像信号（副映像パックの内容）をデコードするＳＰ（Sub Picture）デコーダと、セパレータで分離された音声信号（音声パックの内容）をデコードするＡ（Audio）デコーダとを有する。また、デコードされた映像にデコードされた副映像を適宜合成し、映像に、メニュー、ハイライトボタン、字幕及びその他の副映像を重ねて出力するビデオプロセッサを備えている。
【００４２】
デコーダ部１６の出力映像信号は、Ｖミクシング部２２に入力される。Ｖミクシング部２２では、テキストデータの合成が行なわれる。また、このＶミクシング部２２には、ＴＶチューナ部２１またはＡ／Ｖ入力部２０からの信号を、直接取り込むラインも接続されている。
【００４３】
Ｖミクシング部２２には、バッファとして用いるフレームメモリ部２８が接続されている。Ｖミクシング部２２の出力がアナログ出力の場合は、Ｉ／Ｆ（Interface）２９を介して外部に出力され、デジタル出力の場合は、Ｄ／Ａ（Digital／Analog）変換器３０を介して外部のＴＶ受信機２５に出力される。
【００４４】
デコーダ部１６の出力音声信号は、セレクタ２３を介してＤ／Ａ変換器３１でアナログ変換され、上記のＴＶ受信機２５に内蔵されたスピーカ３２に出力される。セレクタ２３は、マイクロコンピュータブロック１７からのセレクト信号により制御される。
【００４５】
これにより、セレクタ２３は、Ａ／Ｖ入力部２０またはＴＶチューナ部２１からのデジタル信号を直接モニタするとき、エンコーダ部１５をスルーした信号を直接選択することが可能となる。
【００４６】
また、上記マイクロコンピュータブロック１７は、例えばイーサネット規格に準拠した通信制御部３３により、通信回線を介して外部のネットワークとデータ通信可能に接続されている。
【００４７】
ここで、この光ディスク記録再生装置は、Ａ／Ｖ入力部２０またはＴＶチューナ部２１を介して入力される４８０ｉの映像信号を、光ディスク１１またはハードディスク１３ａに記録し、４８０ｉまたは４８０ｐで再生することができる。
【００４８】
この場合、入力された４８０ｉの映像信号に視聴制限用の度数情報が含まれている場合には、その度数情報も記録される。そして、再生時に４８０ｉで映像信号を出力すれば、その映像信号に視聴制限用の度数情報が規格通り正しく付加されて出力されるため、ＴＶ受信機２５で度数情報を検知して視聴制限を行なうことができる。
【００４９】
ところが、再生時に４８０ｐで映像信号を出力すると、ＴＶ受信機２５は、映像信号から視聴制限用の度数情報を検知することができず、視聴制限を実現することができなくなるという不都合が生じる。
【００５０】
そこで、マイクロコンピュータブロック１７は、その視聴制御部１７ｃによって、上記のような不都合が生じないように制御している。
【００５１】
図２は、この視聴制御部１７ｃを用いた制御動作の一例を示すフローチャートである。すなわち、開始（ステップＳ１）されると、マイクロコンピュータブロック１７は、ステップＳ２で、Ａ／Ｖ入力部２０またはＴＶチューナ部２１を介して入力される映像信号をデジタル化して記録する際に、ＸＤＳパケットの内容をチェックし、ステップＳ３で、ＸＤＳパケットに視聴制限用の度数情報が存在するか否かを判別する。
【００５２】
そして、ステップＳ３でＸＤＳパケットに視聴制限用の度数情報が存在しないと判断された場合（ＮＯ）、マイクロコンピュータブロック１７は、ステップＳ２の処理に戻され、ステップＳ３でＸＤＳパケットに視聴制限用の度数情報が存在すると判断された場合（ＹＥＳ）、その度数情報を映像信号と対応付けて記録する。
【００５３】
その後、マイクロコンピュータブロック１７は、ステップＳ４で、映像信号を再生する際に、４８０ｐで出力することが要求されているか否かを判別し、要求されていないと判断された場合（ＮＯ）、ステップＳ２の処理に戻される。
【００５４】
また、ステップＳ４で映像信号を４８０ｐで出力することが要求されていると判断された場合（ＹＥＳ）、マイクロコンピュータブロック１７は、ステップＳ５で、その映像信号に対応して記録されている度数情報が、予め視聴者がキー入力部２６を操作してメモリ部１７bに設定しておいた度数を、実質的に超えたか否かを判別する。
【００５５】
そして、ステップＳ５で映像信号の度数情報が視聴者の設定した度数を実質的に超えていないと判断された場合（ＮＯ）、マイクロコンピュータブロック１７は、ステップＳ２の処理に戻される。
【００５６】
また、ステップＳ５で映像信号の度数情報が視聴者の設定した度数を実質的に超えていると判断された場合（ＹＥＳ）、マイクロコンピュータブロック１７は、ステップＳ６で、その映像信号の出力を強制的に停止し、ＴＶ受信機２５の表示画面をマスクし、視聴制限された旨を通知するように制御して、ここに視聴制限が行なわれる。
【００５７】
すなわち、この光ディスク記録再生装置は、Ａ／Ｖ入力部２０またはＴＶチューナ部２１を介して入力される映像信号が、４８０ｉで視聴制限用の度数情報を含んでいる場合、映像信号とともにその度数情報も対応させて記録する。
【００５８】
そして、映像信号の再生時に４８０ｐで出力することが要求された場合、度数情報が視聴者の設定した度数を実質的に超えているか否かを判別し、超えている場合に、映像信号の出力を停止させ、ＴＶ受信機２５の表示画面をマスクし、視聴制限された旨を通知するようにしている。このため、視聴制限が損なわれることなく確実に実施されるようになる。
【００５９】
また、図３は、上記視聴制御部１７ｃを用いた制御動作の他の例を示すフローチャートである。すなわち、開始（ステップＳ７）されると、マイクロコンピュータブロック１７は、ステップＳ８で、Ａ／Ｖ入力部２０またはＴＶチューナ部２１を介して入力される映像信号をデジタル化して記録する際に、ＸＤＳパケットの内容をチェックし、ステップＳ９で、ＸＤＳパケットに視聴制限用の度数情報が存在するか否かを判別する。
【００６０】
そして、ステップＳ９でＸＤＳパケットに視聴制限用の度数情報が存在しないと判断された場合（ＮＯ）、マイクロコンピュータブロック１７は、ステップＳ８の処理に戻され、ステップＳ９でＸＤＳパケットに視聴制限用の度数情報が存在すると判断された場合（ＹＥＳ）、その度数情報を映像信号と対応付けて記録する。
【００６１】
その後、マイクロコンピュータブロック１７は、ステップＳ１０で、映像信号を再生する際に、４８０ｐで出力することが要求されているか否かを判別し、要求されていないと判断された場合（ＮＯ）、ステップＳ８の処理に戻される。
【００６２】
また、ステップＳ１０で映像信号を４８０ｐで出力することが要求されていると判断された場合（ＹＥＳ）、マイクロコンピュータブロック１７は、ステップＳ１１で、強制的に映像信号を視聴制限用の度数情報を含む４８０ｉで出力させるように制御する。
【００６３】
このため、ＴＶ受信機２５では、入力された映像信号から視聴制限用の度数情報を検知することができ、通常の視聴制限を実現することができるようになる。
【００６４】
ここで、図２及び図３に示した動作例では、いずれも入力映像信号を一旦記録し再生する場合について述べたが、これに限らず、Ａ／Ｖ入力部２０またはＴＶチューナ部２１を介して入力される４８０ｉの映像信号を記録しながら、リアルタイムで４８０ｐに変換して出力する場合にも、同様に視聴制限動作を行なうことができる。
【００６５】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。
【図面の簡単な説明】
【００６６】
【図１】この発明の実施の形態を示すもので、光ディスク記録再生装置を説明するために示すブロック構成図。
【図２】同実施の形態における視聴制限動作の一例を説明するために示すフローチャート。
【図３】同実施の形態における視聴制限動作の他の例を説明するために示すフローチャート。
【符号の説明】
【００６７】
１１…光ディスク、１２…ディスクドライブ部、１３…ＨＤＤ部、１４…Ｄ−ＰＲＯ部、１５…エンコーダ部、１６…デコーダ部、１７…マイクロコンピュータブロック、１８…バッファメモリ、１９…フォーマッタ、２０…Ａ／Ｖ入力部、２１…ＴＶチューナ部、２２…Ｖミクシング部、２３…セレクタ、２４…表示部、２５…ＴＶ受信機、２６…キー入力部、２７…ＳＴＣ、２８…フレームメモリ部、２９…Ｉ／Ｆ、３０，３１…Ｄ／Ａ変換器、３２…スピーカ、３３…通信制御部。
【図１】
2005167427.tif 000003
【図２】
2005167427.tif 000004
【図３】
2005167427.tif 000005